(57)【要約】      （修正有）【課題】外観を損なうことなく、むしろ１つのデザイン・装飾手段として機能するように構成したメガネフレーム及びＮｉ−Ｔｉ合金製部品を提供する。【解決手段】Ｎｉ−Ｔｉ合金製部品を備えたメガネフレームは、Ｎｉ−Ｔｉ合金製部品の先端部にＴｉ製などの接合片を鋳造によって一体形成している為に、一般の金属製眼鏡部品と同様にロウ付けによって接合することが出来る。従って、メガネフレームの組付け作業は簡素化されて、メガネフレームの製作コストは安くなる。Ｎｉ−Ｔｉ合金製部品の先端部にＴｉ製などの接合片を鋳造した独立部品として取扱うことが出来る。【選択図】図３
0003147856.tif 000002
【実用新案登録請求の範囲】
【請求項１】
Ｎｉ−Ｔｉ合金製部品を有すメガネフレームにおいて、該Ｎｉ−Ｔｉ合金製部品の先端部に接合片を鋳造にて形成し、該接合片を介して他の部品とロウ付けしてメガネフレームを組付け、そして接合片の材質を接合される他の部品の材質と同じとしたことを特徴とするＮｉ−Ｔｉ合金製部品を有すメガネフレーム。
【請求項２】
Ｔｉ製の両リムをＮｉ−Ｔｉ合金製の連結部材にて連結し、リム外側にヨロイをロウ付けしたフロント部を有すメガネフレームにおいて、上記Ｎｉ−Ｔｉ合金製の連結部材の両端部にはＴｉ製の接合片を鋳造し、該接合片とリムを直接ロウ付けしたことを特徴とするＮｉ−Ｔｉ合金製部品を有すメガネフレーム。
【請求項３】
メガネフレームを構成するＮｉ−Ｔｉ合金製部品において、該Ｎｉ−Ｔｉ合金製部品の先端部に接合片を鋳造にて形成し、該接合片の材質を互いにロウ付けされる他のメガネフレーム部品と同一にしたことを特徴とするメガネフレームを構成するＮｉ−Ｔｉ合金製部品。
【考案の詳細な説明】
【技術分野】
【０００１】
本考案はＮｉ−Ｔｉ合金製部品を一部に備えて構成するメガネフレーム、及びＮｉ−Ｔｉ合金製部品に関するものである。
【背景技術】
【０００２】
金属製のメガネフレームにおいて、近年では優れた形状記憶性や超弾性を備えたＮｉ−Ｔｉ合金が使用されて連結部材、ワタリ、ツルなどのメガネフレームの部品が製作される場合が多い。そして、これらの部品をＴｉ材から成るリムやヨロイなどの他の部品と結合したメガネフレームが用いられている。
【０００３】
ところで、Ｎｉ−Ｔｉ合金を含むＴｉ材はロウ付けが困難であるため、Ｎｉ−Ｔｉ合金及びＴｉ材から成るメガネフレームの部品の接合方法のひとつとして、Ｎｉ−Ｔｉ合金製メガネフレームの部品であるブリッジを溶接可能な金属製の円筒状接合片に設けた嵌合穴に差し込んでカシメ結合し、円筒状接合片をＴｉ材から成るリムにスポット溶接、突き合わせ溶接などの抵抗溶接により接合する方法が採用されている。
【０００４】
しかし、円筒状接合片をレンズが嵌るリムにスポット溶接又は突き合わせ溶接などの抵抗溶接により接合する場合、Ｎｉ−Ｔｉ合金製のメガネフレーム部品と円筒状接合片とのカシメ結合部分に僅かな空隙が存在するため、抵抗加熱時に印加される高電圧の電流でスパークが発生し、円筒状接合片に変形・割れが発生し、Ｎｉ−Ｔｉ合金製メガネフレームの部品と接合片のカシメ結合が不完全になる。
【０００５】
特開２０００−３４７１３９号に係る「Ｎｉ−Ｔｉ合金製眼鏡部品の接合方法」は、Ｎｉ−Ｔｉ合金製眼鏡部品とＴｉ材から成る他の眼鏡部品とを強固、かつ確実に接合させることができるＮｉ−Ｔｉ合金製眼鏡部品の接合方法である。
【０００６】
すなわち、Ｎｉ−Ｔｉ合金製眼鏡部品をＴｉ製接合片に設けた嵌合穴に差し込んでカシメ結合し、接合片をＴｉ材から成る他の眼鏡部品に抵抗溶接又は抵抗ロウ接する接合方法において、接合片の接合部が、Ｎｉ−Ｔｉ合金製眼鏡部品の嵌挿部位から離れた位置に形成している。
【０００７】
このように、Ｔｉ製接合片を用いることでＮｉ−Ｔｉ合金製眼鏡部品と他のＴｉ製眼鏡部品のロウ付けを行うことは可能であるが、嵌合穴を設けた接合片を用いることでメガネフレーム全体の外観が損なわれる虞がある。勿論、上記接合片を別途製作しなくてはならず、その分だけメガネフレームの製造コストは高くなってしまう。
【特許文献１】特開２０００−３４７１３９号に係る「Ｎｉ−Ｔｉ合金製眼鏡部品の接合方法」
【考案の開示】
【考案が解決しようとする課題】
【０００８】
このように、Ｎｉ−Ｔｉ合金製眼鏡部品と他のＴｉ製眼鏡部品とを接合するには上記のごとき問題がある。本考案が解決しようとする課題はこの問題点であって、メガネフレームの外観を損なうことなく、むしろ１つのデザイン・装飾手段として機能するように構成したメガネフレーム及びＮｉ−Ｔｉ合金製部品を提供する。
【課題を解決するための手段】
【０００９】
本考案に係るメガネフレームはＮｉ−Ｔｉ合金製部品を１部に備えて構成したものである。そこで、このＮｉ−Ｔｉ合金製部品を他の眼鏡部品とロウ付けする為に、本考案ではＮｉ−Ｔｉ合金製部品の先端が嵌ることが出来る嵌合穴を形成した従来の接合片ではなく、先端部にＴｉ製接合片を鋳造によって一体形成している。本考案では、接合片の材質をＴｉ材に限定せず、Ｎｉ−Ｔｉ合金製部品がロウ付けされる他の材質と同じにすればよい。
【００１０】
ここで、鋳造の具体的手段は限定しないが、強固に結合する構造とし、又、この接合片はメガネフレームのデザイン・装飾として機能するような形状とされる。    ところで、Ｎｉ−Ｔｉ合金製部品は先端に鋳造されて一体化した接合片を介して他の部品とロウ付けすることが出来る。このロウ付けは従来から行われている方法と同じであって、メガネフレームをロウ付けによって簡単に組付けすることが出来る。
【考案の効果】
【００１１】
本考案に係るＮｉ−Ｔｉ合金製部品を備えたメガネフレームは、Ｎｉ−Ｔｉ合金製部品の先端部にＴｉ製などの接合片を鋳造によって一体形成している為に、一般の金属製眼鏡部品と同様にロウ付けによって接合することが出来る。従って、メガネフレームの組付け作業は簡素化されて、メガネフレームの製作コストは安くなる。Ｎｉ−Ｔｉ合金製部品の先端部にＴｉ製などの接合片を鋳造した独立部品として取扱うことが出来る。
【００１２】
従って、Ｎｉ−Ｔｉ合金製部品を備えた高級メガネフレームを低コストで提供することが出来る。そして、Ｎｉ−Ｔｉ合金製部品の先端部に設けられるＴｉ製などの接合片は、その形状を工夫することでメガネフレームのデザイン及び装飾効果をもたらすことが出来る。すなわち、該接合片は鋳造によって形成されることで、その外観・形状を自由に選択してデザイン・装飾効果を備えるように構成することが可能と成る。
【実施例】
【００１３】
図１は本考案に係るメガネフレームの外観を示す実施例であり、その基本的な形状は従来の金属製メガネフレームと共通している。同図の１はフロント部、２はツルを表し、該フロント部１は両リム３，３が連結部材（ブリッジ）４を介して連結され、リム３，３の外側にはヨロイ５，５がロウ付けされた構造と成っている。そして、ヨロイ３，３には蝶番などの継手を介してツル２，２が連結されて折畳みすることが出来る。
【００１４】
ところで、同図に示すメガネフレームの場合、上記連結部材はＮｉ−Ｔｉ合金製で構成され、レンズが嵌るリム３はＴｉ材が使用されている。連結部材４はＮｉ−Ｔｉ合金を鋳造又は切削加工によって所定の形状に加工され、リム３はＴｉ製の細い線材をリング状に曲げ加工によって製作される。そして、両リム３，３は該連結部材４の両端にロウ付けされるが、Ｎｉ−Ｔｉ合金製の連結部材４とＴｉ製のリム３，３はそのままではロウ付けにて接合することは出来ない。
【００１５】
そこで、本考案では上記連結部材４の両端部にＴｉ製の接合片を鋳造している。図２は接合片６，６を鋳造にて形成した本考案に係る連結部材４の具体例であり、Ｔｉ製の接合片６，６を設けることでＴｉ製のリム３，３とロウ付けにて接合することが可能となる。図２において、６，６はＴｉ製の接合片を表し、連結部材４の両端部に形成されている。
【００１６】
この場合、連結部材４を型にセットし、連結部材４の両端部に形成した空間に溶融したＴｉ材を流し込むことで鋳造され、鋳造された接合片６，６は該連結部材４と一体化して固定される。鋳造された接合片６，６が連結部材４から分離することなく一体的に固定されるように、鋳造によって連結部材４の両端部が抱き込まれた構造と成っている。
【００１７】
図３は両端部に接合片６，６を設けた連結部材４によって、両リム３，３を連結したフロント部１の中央部を表している。ここで、リム３，３の材質をＴｉ製とした場合、同じＴｉ製の接合片６，６はロウ付けされて両リム３，３は連結される。すなわち、従来のロウ付け作業によって両リム３，３を連結部材４にて連結することが出来る。
【００１８】
図４は両端部に別形態の接合片を鋳造にて形成した本考案に係る連結部材４の他の具体例を示している。接合片６の形状は色々あって、第１の目的はリムとロウ付け出来るように構成したものであるが、第２にはフロント部中央のデザイン、装飾効果を狙っている。
【００１９】
連結部材４は一般に鍛造加工され、時には切削加工される場合もあるが、鍛造加工や切削加工にて出来上がる連結部材４の形状には限界がある。本考案では連結部材４の両端部に接合片６，６を鋳造にて形成することで、その形状は色々と変化に富むデザイン及び装飾効果をもたらすように構成出来る。例えば、図４に示す連結部材４の場合、滑らかに湾曲した上縁７及び下縁８に沿って、両接合片６，６の上縁９及び下縁１０を形成し、又連結部材４の両端部表面に設けた複数の小さい突片１１，１１・・・を残して接合片６，６が鋳造される。すなわち、これら突片１１，１１・・・は接合片６，６の表面から突出している。
【００２０】
一方、ツル２の材質をＮｉ−Ｔｉ合金として構成する場合も、同じく先端にＴｉ製接合片を鋳造することで、該ツル２を蝶番などの継手に直接ロウ付けすることが出来る。そして、その他の部品の接合に際しても同じようにＴｉ製の接合片が鋳造される。
【００２１】
又、本考案では接合片の材質を上記Ｔｉ材に限るものではなく、Ｎｉ−Ｔｉ合金製部品が接合される他の部品の材質が異なれば、接合片の材質もそれに応じて変化する。例えば、リムの材質をＴｉ合金とすれば、鋳造される接合片の材質もＴｉ合金とされる。
【図面の簡単な説明】
【００２２】
【図１】Ｎｉ−Ｔｉ合金製部品を備えたメガネフレーム。
【図２】両端部に接合片を鋳造した連結部材の具体例。
【図３】連結部材の接合片にて接合された両リムで、フロント部中央を表している。
【図４】両端部に接合片を鋳造した連結部材の具体例。
【符号の説明】
【００２３】
１  フロント部
２  ツル
３  リム
４  連結部材
５  ヨロイ
６  接合片
７  上縁
８  下縁
９  上縁
10  下縁
11  凸片
【図１】
0003147856.tif 000003
【図２】
0003147856.tif 000004
【図３】
0003147856.tif 000005
【図４】
0003147856.tif 000006